(57)【要約】【課題】一方の電子機器から、他方の電子機器の電源をオンする場合に、他方の電子機器の消費電力を抑えること。【解決手段】ＡＶアンプ２とプロジェクター３とは、パルストランス２４、及び、パルストランス３３を介して、ケーブルにより接続される。パルストランス３３は、ＩＲ受信回路３２に接続されたＣＴＡと、グラウンドＧＮＤに接続されたＣＴＢと、を有するセンタータップを備える。パルストランス２４は、ＭＣＵ２１に接続されたＣＴＡと、グラウンドＧＮＤに接続されたＣＴＢと、を有するセンタータップを備える。【選択図】図１
2019054334.tif 000002
【特許請求の範囲】
【請求項１】
第１電子機器と第２電子機器とが通信を行う通信システムであって、
前記第１電子機器は、
信号を受信する受信回路と、
第１パルストランスと、を備え、
前記第２電子機器は、
制御部と、
第２パルストランスと、を備え、
前記第１電子機器と前記第２電子機器とは、前記第１パルストランス、及び、前記第２パルストランスを介して、ケーブルにより接続され、
前記第１パルストランスは、
前記受信回路に接続された一方の端子と、基準電位に接続された他方の端子と、を有する第１センタータップを備え、
前記第２パルストランスは、
前記制御部に接続された一方の端子と、基準電位に接続された他方の端子と、を有する第２センタータップを備えることを特徴とする通信システム。
【請求項２】
前記第２電子機器は、電源電圧を供給するための電源回路をさらに備え、
前記制御部は、自機器の電源オンの信号を受信した場合、前記電源回路を動作させることを特徴とする請求項１に記載の通信システム。
【請求項３】
前記第１電子機器と前記第２電子機器とは、HDBaseT（登録商標）規格に従った通信を行うことを特徴とする請求項１又は２に記載の通信システム。
【請求項４】
前記第２電子機器は、所定規格に従った通信を行うためのコントローラを備えることを特徴とする請求項１〜３のいずれか１項に記載の通信システム。
【請求項５】
信号を受信する受信回路と、
パルストランスと、を備え、
前記パルストランスは、
前記受信回路に接続された一方の端子と、基準電位に接続された他方の端子と、を有するセンタータップを備えることを特徴とする電子機器。
【請求項６】
制御部と、
パルストランスと、を備え、
前記パルストランスは、
前記制御部に接続された一方の端子と、基準電位に接続された他方の端子と、を有するセンタータップを備えることを特徴とする電子機器。
【発明の詳細な説明】
【技術分野】
【０００１】
本発明は、電子機器が通信を行う通信システムに関する。
【背景技術】
【０００２】
HDBaseT（登録商標）（以下、「ＨＤＢ」という。）では、イーサネット（登録商標）ケーブルで機器が接続され、HDMI（登録商標）（以下、「ＨＤ」という。）信号、イーサネット（登録商標）信号、電力、ＩＲ（Infra Red）信号等が伝達される（例えば、特許文献１参照。）。図２は、従来のＨＤＢ規格に対応した通信システムの構成を示す図である。通信システム１０１は、例えば、ＡＶアンプ１０２と、プロジェクター１０３と、を備える。ＡＶアンプ１０２からプロジェクター１０３に、ＨＤ信号、電力等が供給される。
【０００３】
ＡＶアンプ１０２は、ＭＣＵ（マイクロコンピュータ）１２１、ＨＤＢコントローラ１２２、電源回路１２３、パルストランス１２４等を備える。プロジェクター１０３は、ＨＤＢコントローラ１３１、ＩＲ受信回路１３２、パルストランス１３３等を備える。ＡＶアンプ１０２とプロジェクター１０３とは、パルストランス１２４、１３３を介して、イーサネット（登録商標）ケーブルで接続される。プロジェクター１０３のＩＲ受信回路１３２は、リモートコントローラ等からのＩＲ信号を受信する。ＩＲ受信回路１０３は、受信したＩＲ信号をＨＤＢコントローラ１３１に出力する。ＨＤＢコントローラ１３１は、ＩＲ信号を、パルストランス１３３を介して、ＡＶアンプ１０２に出力する。ＡＶアンプ１０２のＨＤＢコントローラ１２２は、パルストランス１２４を介して、ＩＲ信号を受信する。ＨＤＢコントローラ１２２は、受信したＩＲ信号をＭＣＵ１２１に出力する。ＭＣＵ１２１は、受信したＩＲ信号に基づいて、種々の処理（例えば、電源のオフ）を行う。このように、ＡＶアンプ１０２は、プロジェクター１０３で受信したＩＲ信号に基づいて、種々の処理を行うことができる。従って、ユーザーは、例えば、ＡＶアンプ１０２とプロジェクター１０３とが別の部屋に載置されていても、プロジェクター１０３経由で、ＡＶアンプ１０２を操作することができる。
【先行技術文献】
【特許文献】
【０００４】
【特許文献１】特開２０１４−０７１４３６号公報
【発明の概要】
【発明が解決しようとする課題】
【０００５】
ここで、プロジェクター１０３側からＡＶアンプ１０２の電源をオンしたい場合、ＩＲ信号を受信するために、ＡＶアンプ１０２のＨＤＢコントローラ１２２に通電しておく必要があり、スタンバイ時の消費電力が高くなるという問題がある。
【０００６】
本発明の目的は、一方の電子機器から、他方の電子機器の電源をオンする場合に、他方の電子機器の消費電力を抑えることである。
【課題を解決するための手段】
【０００７】
第１の発明の通信システムは、第１電子機器と第２電子機器とが通信を行う通信システムであって、前記第１電子機器は、信号を受信する受信回路と、第１パルストランスと、を備え、前記第２電子機器は、制御部と、第２パルストランスと、を備え、前記第１電子機器と前記第２電子機器とは、前記第１パルストランス、及び、前記第２パルストランスを介して、ケーブルにより接続され、前記第１パルストランスは、前記受信回路に接続された一方の端子と、基準電位に接続された他方の端子と、を有する第１センタータップを備え、前記第２パルストランスは、前記制御部に接続された一方の端子と、基準電位に接続された他方の端子と、を有する第２センタータップを備えることを特徴とする。
【０００８】
本発明では、第１電子機器の第１パルストランスは、受信回路に接続された一方の端子と、基準電位に接続された他方の端子と、を有する第１センタータップを備える。また、第２電子機器の第２パルストランスは、制御部に接続された一方の端子と、基準電位に接続された他方の端子と、を有する第２センタータップを備える。ここで、第１電子機器と第２電子機器とは、第１パルストランス、及び、第２パルストランスを介して、ケーブルにより接続される。このため、第１電子機器の受信回路が受信した信号は、ケーブルを介して、第２電子機器の制御部に出力される。これにより、制御部は、電源オンの信号を受信した場合、自機器をオンの状態とすることができる。このため、第２電子機器において、スタンバイ時、制御部以外の他の回路をオンにしておく必要がないので、第２電子機器の消費電力を抑えることができる。
【０００９】
第２の発明の通信システムは、第１の発明の通信システムにおいて、前記第２電子機器は、電源電圧を供給するための電源回路をさらに備え、前記制御部は、自機器の電源オンの信号を受信した場合、前記電源回路を動作させることを特徴とする。
【００１０】
第３の発明の通信システムは、第１又は第２の発明の通信システムにおいて、前記第１電子機器と前記第２電子機器とは、HDBaseT（登録商標）規格に従った通信を行うことを特徴とする。
【００１１】
第４の発明の通信システムは、第１〜第３のいずれかの発明の通信システムにおいて、前記第２電子機器は、所定規格に従った通信を行うためのコントローラを備えることを特徴とする。
【００１２】
本発明によれば、第２電子機器において、スタンバイ時、第１電子機器と所定規格に従った通信を行うために、コントローラをオンにしておく必要がないので、第２電子機器の消費電力を抑えることができる。
【００１３】
第５の発明の電子機器は、信号を受信する受信回路と、パルストランスと、を備え、前記パルストランスは、前記受信回路に接続された一方の端子と、基準電位に接続された他方の端子と、を有するセンタータップを備えることを特徴とする。
【００１４】
第６の発明の電子機器は、制御部と、パルストランスと、を備え、前記パルストランスは、前記制御部に接続された一方の端子と、基準電位に接続された他方の端子と、を有するセンタータップを備えることを特徴とする。
【発明の効果】
【００１５】
本発明によれば、一方の電子機器から、他方の電子機器の電源をオンする場合に、他方の電子機器の消費電力を抑えることができる。
【図面の簡単な説明】
【００１６】
【図１】本発明の実施形態に係る通信システムの構成を示す図である。
【図２】従来のＨＤＢ規格に対応した通信システムの構成を示す図である。
【発明を実施するための形態】
【００１７】
以下、本発明の実施形態について説明する。図１は、本実施形態に係る通信システムの構成を示す図である。通信システム１は、例えば、ＡＶアンプ２と、プロジェクター３と、を備える。ＡＶアンプ２とプロジェクター３とは、HDBaseT（登録商標）（以下、「ＨＤＢ」という。）規格に従って、通信を行う。ＡＶアンプ２とプロジェクター３とは、イーサネット（登録商標）ケーブルで接続される。ＡＶアンプ２からプロジェクター３に、HDMI（登録商標）（以下、「ＨＤ」という。）信号、電力等が供給される。すなわち、ＡＶアンプ２が送信側（Ｔｘ）であり、プロジェクター３が受信側（Ｒｘ）である。
【００１８】
ＡＶアンプ２（第２電子機器）は、ＭＣＵ（マイクロコンピュータ）２１、ＨＤＢコントローラ２２、電源回路２３、パルストランス２４等を備える。ＭＣＵ２１（制御部）は、ＡＶアンプ２を構成する各部を制御する。ＨＤＢコントローラ２２（コントローラ）は、ＨＤＢ規格（所定規格）に従った通信を行うためのコントローラＩＣである。電源回路２３は、ＡＶアンプ２を構成する各部に電源電圧を供給するための回路である。パルストランス２４は、外部との絶縁を行うためのものである。
【００１９】
プロジェクター３（第１電子機器）は、ＨＤＢコントローラ３１、ＩＲ受信回路３２、パルストランス３３等を備える。ＨＤＢコントローラ３１は、ＨＤＢ規格に従った通信を行うためのコントローラＩＣである。ＩＲ受信回路３２（受信回路）は、ＩＲ信号を受信するための回路である。パルストランス３３は、外部との絶縁を行うためのものである。ＡＶアンプ２とプロジェクター３とは、パルストランス２２、３１を介して、イーサネット（登録商標）ケーブルで接続される。
【００２０】
ＡＶアンプ２のパルストランス２２（第２パルストランス）は、センタータップ（第２センタータップ）を有する。パルストランス２２のセンタータップのＣＴＡ（一方の端子）は、ＭＣＵ２１に接続されている。センタータップのＣＴＢ（他方の端子）は、グラウンドＧＮＤに接続されている。プロジェクター３のパルストランス３３（第１パルストランス）は、センタータップ（第１センタータップ）を有する。パルストランス３３のセンタータップのＣＴＡ（一方の端子）は、ＩＲ受信回路３２に接続されている。センタータップＣＴＢ（他方の端子）は、グラウンドＧＮＤに接続されている。
【００２１】
ここで、ＡＶアンプ１は、スタンバイ状態であるとする。また、プロジェクター３は、電源オンの状態であるとする。ＡＶアンプ１がスタンバイ状態である場合、ＭＣＵ２１には、電圧Ｖｓｔａｎｂｙが供給されている。ＩＲ受信回路３２が、ＡＶアンプ２の電源オンのＩＲ信号を受信した場合、ＩＲ信号は、パルストランス３３のセンタータップのＣＴＡに出力される。ＡＶアンプ２とプロジェクター３とは、パルストランス２２、３１を介して、イーサネット（登録商標）ケーブルで接続されている。このため、ＨＤＢの信号を送信する差動信号のコモン電圧により、ＩＲ信号は、プロジェクター３からＡＶアンプ２に送信され、パルストランス２４のセンタータップのＣＴＡに出力される。
【００２２】
ＭＣＵ２１は、パルストランス２４のセンタータップのＣＴＡから、ＩＲ信号を受信する。ＭＣＵ２１は、ＡＶアンプ２の電源オンのＩＲ信号を受信すると、メインの電源回路２３をオンし、スタンバイ状態から、動作可能の状態とする。
【００２３】
以上説明したように、本実施形態では、プロジェクター３のパルストランス３３は、ＩＲ受信回路３２に接続されたＣＴＡと、グラウンドＧＮＤに接続されたＣＴＢと、を有するセンタータップを備える。また、ＡＶアンプ２のパルストランス２４は、ＭＣＵ２１に接続されたＣＴＡと、グラウンドＧＮＤに接続されたＣＴＢと、を有するセンタータップを備える。ここで、ＡＶアンプ２とプロジェクター３とは、パルストランス２４、及び、パルストランス３３を介して、イーサネット（登録商標）ケーブルにより接続される。このため、プロジェクター３のＩＲ受信回路３２が受信したＩＲ信号は、イーサネット（登録商標）ケーブルを介して、ＡＶアンプ２のＭＣＵ２１に出力される。これにより、ＭＣＵ２１は、電源オンのＩＲ信号を受信した場合、ＡＶアンプ２をオンの状態とすることができる。このため、ＡＶアンプ２において、スタンバイ時、プロジェクター３と通信を行うために、ＨＤＢコントローラ２２をオンにしておく必要がないので、ＡＶアンプ２の消費電力を抑えることができる。
【００２４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２５】
上述の実施形態においては、通信システム１は、ＡＶアンプ２とプロジェクター３とにより構成されている。これに限らず、通信システム１は、ＨＤＢ規格に従った装置等により構成されていればよい。
【産業上の利用可能性】
【００２６】
本発明は、電子機器が通信を行う通信システムに好適に採用され得る。
【符号の説明】
【００２７】
１  通信システム
２  ＡＶアンプ（第２電子機器）
２１  ＭＣＵ（制御部）
２２  ＨＤＢコントローラ（コントローラ）
２３  電源回路
２４  パルストランス（第２パルストランス）
３  プロジェクター（第１電子機器）
３１  ＨＤＢコントローラ
３２  ＩＲ受信回路（受信回路）
３３  パルストランス（第１パルストランス）
【図１】
2019054334.tif 000003
【図２】
2019054334.tif 000004